(57)【要約】本発明による口腔照明装置は、一対のホルダ１と、このホルダ１に設置されている複数の発光体７と、一対のホルダ１を連結するリンク部２とを有し、各ホルダ１は、治療者の唇の内部および外部を容易に覆うようにＵ字状の断面を有し、人体に無害な樹脂材質で形成され、その外表面にソフトで人体に無害なラテックス、ゴム、シリコン等をコーティングすることができる。各ホルダ１は、該口腔内に隣接する部分に複数の発光体７が設置されており、この発光体７にはＬＥＤまたはその他の公知の発光体が使用される。これにより、本発明は、口腔内または喉頭内を陰ができないように照明することができ、口腔内または喉頭内に照明の死角領域が発生することを防止することにより、診療および治療を容易に行うことができる。
2009512174.tif 000002
【特許請求の範囲】
【請求項１】
一つ以上の発光体を備えた一対のホルダと、
前記一対のホルダを個別に連結する左右一対のリンクとを有し、
前記一対のリンクは、その一側を貫通する調節軸、およびこの調節軸にねじ結合される調節ナットにより拡張されるリンク部を有することを特徴とする口腔照明装置。
【請求項２】
前記発光体の動作状態を表示する表示素子を備え、前記発光体の動作を制御するコントロールボックスをさらに有することを特徴とする請求項１に記載の口腔照明装置。
【請求項３】
前記ホルダは、その内部に発光体に電源供給をスイッチングするスイッチ部、および前記スイッチ部に接続される無線インターフェース回路部をさらに有し、前記無線インターフェース回路部は、遠隔制御部から無線制御信号を受信することを特徴とする請求項１に記載の口腔照明装置。
【請求項４】
前記ホルダの内外側に移動可能に設けられた移動部と、
前記移動部の自由端に設けられ、一つ以上の発光体が取り付けられた発光体取付部をさらに有することを特徴とする請求項１に記載の口腔照明装置。
【請求項５】
一つ以上の発光体を備えた一対のホルダと、
前記一対のホルダが連結され、両方向に拡張および弾性復帰可能な単一のリンクとを有することを特徴とする口腔照明装置。
【請求項６】
一つ以上の発光体を備えた一対のホルダと、前記各ホルダに連結された一対のリンクおよびバッテリが分離可能に収納されている本体を備えた照明ユニットと、および、前記照明ユニットのバッテリを充電する充電ユニットとを有し、
前記照明ユニットは、前記充電ユニットに分離可能に取り付けられていることを特徴とする口腔照明装置。
【請求項７】
前記本体は、前記一対のリンクを連結し、その底面に互いに離隔して備えられた複数の充電端子、および発光体の点滅を調節するオン・オフスイッチを有することを特徴とする請求項６に記載の口腔照明装置。
【請求項８】
前記充電ユニットは、前記照明ユニットが分離可能に収納されている複数のスロットを備え、各スロットには本体の充電端子に電気的な接点を形成する複数の充電端子が設けられているフレームと、
前記フレームに開閉可能に連結されているカバーと、
前記カバーの開閉を感知するセンサーと、
前記照明ユニットの充電状態を感知し、前記カバーの開閉を判定する制御部と、
前記制御部から信号を受信して前記照明ユニットの充電状態を表示するディスプレイ部とを有することを特徴とする請求項６に記載の口腔照明装置。
【請求項９】
前記フレームに分離可能に連結されている電源ケーブルと、
前記フレーム側に連結されているキュアライトとをさらに有することを特徴とする請求項８に記載の口腔照明装置。
【請求項１０】
前記フレームおよびカバーのうちいずれか一側に前記照明ユニットに隣接するように設置されている殺菌ユニットをさらに有することを特徴とする請求項８に記載の口腔照明装置。
【請求項１１】
前記殺菌ユニットは、紫外線ＬＥＤ、紫外線ランプおよびオゾン発生ランプのうちの一つをさらに含むことを特徴とする請求項１０に記載の口腔照明装置。
【発明の詳細な説明】
【技術分野】
【０００１】
本発明は、医療用照明装置に関し、特に、口腔内または喉頭（larynx）内を照明する口腔照明装置に関するものである。
【背景技術】
【０００２】
一般的に、歯科または耳鼻咽喉科の診療および治療のために口腔内または喉頭内を照明する照明装置が使用されており、この照明装置は、通常、歯科用ユニットチェアに取り付けられている。
【０００３】
ところが、従来の照明装置は、口腔内または喉頭内を照明する際に、診療者や診療機器などにより陰ができ、さらに、口腔内を照明できない照明の死角領域が発生するという短所があった。
【発明の開示】
【発明が解決しようとする課題】
【０００４】
そこで、本発明は上記従来の問題点に鑑みてなされたものであって、本発明の目的は、口腔内または喉頭内を陰ができないように照明することができ、口腔内または喉頭内に照明の死角領域が発生することを防止することにより、診療および治療を容易に行うことができるようにした口腔照明装置を提供することである。
【課題を解決するための手段】
【０００５】
上記目的を達成するためになされた本発明の一実施例による口腔照明装置は、一つ以上の発光体を備えた一対のホルダと、および、前記一対のホルダを個別に連結する左右一対のリンクとを有し、前記一対のリンクは、その一側を貫通する調節軸、およびこの調節軸にねじ結合される調節ナットにより拡張されるリンク部を有している。
【０００６】
前記発光体の動作状態を表示する表示素子を有し、前記発光体の動作を制御するコントロールボックスをさらに有する。
【０００７】
前記ホルダは、その内部に発光体に電源供給をスイッチングするスイッチ部、および前記スイッチ部に接続される無線インターフェース回路部をさらに有し、前記無線インターフェース回路部は、遠隔制御部から無線制御信号を受信する。
【０００８】
本発明の口腔照明装置は、前記ホルダの内外側に移動可能に設けられた移動部と、前記移動部の自由端に設けられ、一つ以上の発光体が取り付けられた発光体取付部をさらに有する。
【０００９】
本発明の第２実施例による口腔照明装置は、一つ以上の発光体を備えた一対のホルダと、前記一対のホルダが連結され、両方向に拡張および弾性復帰可能な単一のリンクとを有している。
【００１０】
本発明の第３実施例による口腔照明装置は、一つ以上の発光体を備えた一対のホルダと、前記各ホルダに連結された一対のリンクおよびバッテリが分離可能に収納されている本体を備えた照明ユニットと、および、前記照明ユニットのバッテリを充電する充電ユニットとを有し、前記照明ユニットは前記充電ユニットに分離可能に取り付けられている。
【００１１】
前記本体は、前記一対のリンクを連結し、その底面に互いに離隔して備えられた複数の充電端子、および発光体の点滅を調節するオン・オフスイッチを有する。
【００１２】
前記充電ユニットは、前記照明ユニットが分離可能に収納されている複数のスロットを備え、各スロットには本体の充電端子に電気的な接点を形成する複数の充電端子が設けられているフレームと、前記フレームに開閉可能に連結されているカバーと、前記カバーの開閉を感知するセンサーと、前記照明ユニットの充電状態を感知し、前記カバーの開閉を判定する制御部と、前記制御部から信号を受信して前記照明ユニットの充電状態を表示するディスプレイ部とを有する。
【００１３】
本発明の第３実施例による口腔照明装置は、前記フレームに分離可能に連結されている電源ケーブルと、前記フレーム側に連結されているキュアライトとをさらに有している。
【００１４】
前記フレームおよびカバーのうちいずれか一側に前記照明ユニットに隣接するように設置された殺菌ユニットをさらに有する。
【００１５】
前記殺菌ユニットは、紫外線ＬＥＤ、紫外線ランプおよびオゾン発生ランプのうちの一つをさらに含む。
【発明の効果】
【００１６】
以上のように、本発明によれば、口腔内または喉頭内を陰ができないように照明することができ、口腔内または喉頭内に照明の死角領域が発生することを防止することにより、診療および治療を容易に行うことができるという効果がある。
【発明を実施するための最良の形態】
【００１７】
以下、添付した図面を参照して本発明の好ましい実施例を詳細に説明する。
【００１８】
図１に示したように、本発明の第１実施例による口腔照明装置は、一対のホルダ１と、このホルダ１に設置された複数の発光体７と、および一対のホルダ１を連結するリンク部２とを有している。
【００１９】
各ホルダ１は、治療者の唇内部および外部を容易に覆うようにＵ字状の断面を有し、人体に無害な樹脂材質で形成され、その外表面にソフトで人体に無害なラテックス、ゴム、シリコン等をコーティングすることができる。
【００２０】
各ホルダ１は、該口腔内に隣接する部分に複数の発光体７が設置されており、この発光体７にはＬＥＤまたはその他の公知の発光体が使用される。
【００２１】
リンク部２は、一対のリンク２からなり、各リンク２は各一側端部にホルダ１を備え、互いに隣接する各他側端部は、ヒンジ軸３およびリングスプリング形態のガイド部４等により回動可能に連結されている。
【００２２】
また、各リンク２の一側を調節軸８が貫通し、この調節軸８には調節ナット９がねじ結合されている。これにより、一対のリンク２は、ヒンジ軸３およびガイド部４を中心に回動し、リンク２間の角度および／または距離は、調節ナット９および調節軸８のねじ運動により調節することができる。リンク２は、ホルダ１と同様の材料、或いはアルミニウムのように軽量で弾性を有する材料からなることができる。
【００２３】
さらに、各リンク２の内には電源線５を内蔵しており、この電源線５はコントロールボックス６から発光体７に接続されている。
【００２４】
コントロールボックス６は、内部電源または外部電源等により電源が供給され、照明の強度および動作状態等を表示するＬＣＤのような表示素子、電源スイッチ等を備えている。
【００２５】
図１の口腔照明装置は、図２に示したように、被診療者の唇に装着され、唇を左右両方向に広げるとともに口腔内部や喉頭内部を照明することができる。
【００２６】
また、図１の口腔照明装置は、ホルダ１のわずかな形状変更やリンク２間の距離および／または角度を調節することにより、図５に示したように、被診療者の唇を上下に広げることもできる。
【００２７】
図３および図４に示した本発明の第２実施例による口腔照明装置は、弾性力を有する単一のリンク１２を介して一対のホルダ１を連結し、このリンク１２は、合成樹脂のように弾性力を与える材料からなっており、両方向に広げたり弾性復帰可能なＵ字状の構造を有する。これ以外の構成および機能は、前述の第１実施例と類似、同一であるので詳細な説明は省略する。
【００２８】
図６に示した本発明の第３実施例による口腔照明装置は、前記第１および第２実施例の口腔照明装置を無線方式で制御するものである。
【００２９】
図示するように、本発明の第３実施例は、スイッチ部６１と、無線インターフェース回路部６２と、遠隔制御部６３とを有する。
【００３０】
スイッチ部６１は、ホルダ１の内外側に備えられ、発光体７に電源を供給する内部電源、およびこの内部電源と発光体７との間の電流パスを、後で述べる遠隔制御部６３の無線制御信号によって切り換えるスイッチ素子等を有する。
【００３１】
無線インターフェース回路部６２は、ホルダ１の内外側に備えられ、赤外線または高周波（ＲＦ）受信回路を有し、遠隔制御部６３から伝送された無線制御信号をデコードしてスイッチ部６１に伝送する。
【００３２】
遠隔制御部６３は、赤外線または高周波（ＲＦ）受信回路を有し、無線制御信号を無線インターフェース回路部６２に伝送する。これにより、本発明の第３実施例では、遠隔制御部６３の操作によって発光体７の点灯および消灯、照明の強度等を無線で遠隔制御することが可能になる。
【００３３】
図７および図８に示した本発明の第４実施例は、ホルダ１の内外側に移動可能に設けられた伸長部７２と、この伸長部７２の自由端に備えられた発光体装着部７１とを有する。
【００３４】
この第４実施例では、複数の発光体７がホルダ１側に設けられる代わりに、発光体装着部７１に設けられ、伸長部７２がホルダ１の外側に移動する構造により、発光体７が、図８に示したように、前述の実施例に比べて口腔内部のより深い位置に配置されて口腔内部を一層明るく照明できるという長所がある。これ以外の構成は前述の実施例の構成と同様に適用可能であるので、詳細な説明は省略する。
【００３５】
図９〜図１７は、本発明の第５実施例による口腔照明装置を示す。
【００３６】
図示するように、本発明の第５実施例は、患者の唇を両側に広げるとともに口腔内部および／または喉頭内部を照明する照明ユニット１００と、この照明ユニット１００の電源を充電する電源ユニット２００とを有する。
【００３７】
照明ユニット１０は、複数の発光体１５０が設けられている一対のホルダ１１０と、各ホルダ１１０に個別に連結されている一対のリンク１２０と、バッテリ１９０が分離可能に収納されている本体１３０とを有する。
【００３８】
図１０を参照すれば、ホルダ１１０は、治療者の唇内部または外部を覆うようにＵ字状の断面を有し、人体に無害な樹脂材料で形成され、その外表面にソフトで人体に無害なラテックス、ゴム、シリコン等をコーディングすることができる。
【００３９】
さらに、ホルダ１１０の口腔内部に隣接する部分には複数の発光体１５０が設けられており、また、この複数の発光体１５０が設けられた部分に殺菌発光体１５１（例えば、紫外線ＬＥＤ）を設置してもよい。このような紫外線ＬＥＤ１５１は、口腔内治療や施術中に複数の発光体１５０とともに動作し、細菌やウイルスの感染から人体を保護する。発光体１５０としてはＬＥＤ（Ｌｉｇｈｔ Ｅｍｉｔｔｉｎｇ Ｄｉｏｄｅ）等が使用されており、これ以外の公知の発光体も使用可能である。
【００４０】
リンク１２０および本体１３０は、ホルダ１１０と同じ材料、或いはアルミニウムのような軽量で弾性を有する材料で形成される。
【００４１】
または、本実施例において、照明ユニット１００のホルダ１１０、リンク１２０および本体１３０は、樹脂または金属物質等に銀ナノ粒子を適正な割合で混合して成形することができ、これによって照明ユニット１００は、抗菌性銀ナノ物質を含むようになる。
【００４２】
本体１３０は、一対のリンク１２０を連結し、本体１３０の底面一側には一つ以上の充電端子１６０を有し、本体１３０の正面一側には発光体１５０の点滅を調節するオン・オフスイッチ１７０を有する。
【００４３】
このような本体１３０の底面には、図１１に示したように、本体カバー１３５が締結口等により締結され、そのために本体カバー１３５には一つ以上の第１締結孔１８０が形成されている。
【００４４】
また、本体１３０の内部には、図１２に示したように、電源を供給するバッテリ１９０と、バッテリ１９０を固定するとともに充電端子１６０に電気的に接続されたソケット１９５と、および本体１３０と本体カバー１３５との締結のために貫通された第２締結孔１８５とを有する。オン・オフスイッチ１７０は、スイッチ作用によりバッテリ１９０に充電された電源の供給を制御する。そのためにリンク１２０の内部には電源線１４０が挿入されており、この電源線１４０は、複数の発光体１５０とバッテリ１９０を電気的に接続する。
【００４５】
次に、図１３に示したように、バッテリ１９０は、電源が充電または放電するセル１９２と、セル１９２を保護するための保護回路１９４と、セル１９２に流入する電流量およびセル１９２から流出する電流量を計測するための電流量計測器１９６とを有する。保護回路１９４は、過電流および過電圧によるセル１９２の過充電および／またはセル１９２の過放電を防止する。前記計測器１９６は、電源入出力端子（＋、−）を介してセル１９２に流入したりセル１９２から流出する電流量を計測し、計測された電流量を通信端子に伝達する。通信端子は、本体２１０の制御部（図示せず）に計測値を伝達し、制御部が本体２１０に搭載されたバッテリの充放電状態をディスプレイ部に表示するようにする。
【００４６】
図１４は、充電ユニットを示した斜視図である。図１５は、充電ユニットの装置構成図である。
【００４７】
図１４を参照すれば、充電ユニット２００は、照明ユニット１００のバッテリ１９０を充電するフレーム２１０と、フレーム２１０の開放された部分をカバーするカバー２２０とを有しており、カバー２２０はヒンジ部２３０を介してフレーム２１０側に回動可能にヒンジ結合される。
【００４８】
フレーム２１０は、照明ユニット１００を収納し、これを充電するための複数のスロット２１２と、充電および／または殺菌に関する情報を表示するディスプレイ部２１４と、外部電源から電源を供給される電源部２１６とを有する。
【００４９】
スロット２１２内には、照明ユニット１００の充電端子１６０と接触するスプリング型の充電端子２１３が突出して、電源部２１６から供給された電源が照明ユニット１００に充電されるようにする。ディスプレイ部２１４は、フレーム２１０の前面下端に設置され、制御部の制御により充電および／または殺菌に関する情報を表示する。
【００５０】
さらに、フレーム２１０側面下端の一側部において、電源ケーブル３１０を介してキュアライト（Ｃｕｒｉｎｇ ｌｉｇｈｔｅｒ）３００は、歯牙修復材であるレジン（ｒｅｓｉｎ）を光硬化する照射装置として使用できる。キュアライト３００の一側には電源オンオフスイッチ３０５が設置されており、このスイッチの操作によりキュアライト３００の動作が制御される。通常、キュアライト３００は、光源としてＬＥＤを用いるが、ＬＥＤは充電ユニット２００から直流電源を受けて４２０〜４８０ｎｍ波長の光を発生する。このように、電源ケーブル３１０を介してキュアライト３００を駆動する場合、一般の充電式キュアライトに比べて発生する光の強度が増加した状態で、かつ長時間一定の強度で対象物を硬化することができる。これにより、硬化処理時間を従来の３０秒から３秒以内に短縮することが可能である。
【００５１】
カバー２２０は、その底面部および背面部を開放し、それ以外の面は密閉しており、該カバー２２０の開閉動作を可能とするとともに、カバー２２０が閉まると、フレーム２１０との間に内部空間を設けてその空間に照明ユニット１００が収納されるようにする。カバー２２０の正面部と平面部の大部分が透明窓２２２となっており、カバー２２０が閉まっていても収納された照明ユニット１００を外部から観察できるようになっている。特に、平面部において、収納された照明ユニット１００と対向する内側面上には複数の殺菌ユニット２２４が設置されており、カバー２２０が閉まると同時に自動動作や手動動作によって照明ユニット１００を殺菌する機能をする。フレーム２１０の電源とカバー２２０の殺菌ユニット２２４は、図示されていない電気配線によって電気的に接続されている。
【００５２】
殺菌ユニット２２４としては、紫外線ＬＥＤまたは冷陰極蛍光ランプのように紫外線を発生させて対象体を殺菌する紫外線発生器、またはオゾンを発生させて殺菌するオゾン発生器などが使用される。図示されていないが、冷陰極蛍光ランプを使用する場合は、別の電源供給装置（インバータ）が必要である。さらに、オゾン発生器を使用する場合は、空気吸入室および排出室、オゾンと混合された空気の流路を確保するための空気循環孔、殺菌した後に空気を本体外部に排出するための排出孔、並びに吸入空気用送風ファン等が必要である。ここで、オゾン発生器としてはオゾン発生用ランプを使用することもできる。
【００５３】
紫外線ＬＥＤを備えた殺菌ユニット２２４は、図１５に示したように、複数の紫外線ＬＥＤ（２２４−１〜２２４−ｎ）を有する。さらに、複数の紫外線ＬＥＤ（２２４−１〜２２４−ｎ）は、図１４に示した収納された照明ユニット１００と対向するようにカバー２２０の内側壁面に装着されてもよい。
【００５４】
このような殺菌ユニット２２４の充電および殺菌過程を図１５を参照して説明する。
【００５５】
照明ユニット１００が前記フレーム２１０のスロット２１２に搭載されると、フレーム２１０内のアダプタ２１５を経た直流電源は、照明ユニット１００に装着されたバッテリ１９０の電源入出力端子（＋、−）を介してバッテリ１９０への充電を開始する。バッテリ１９０内の計測器１９６は、電源入出力端子（＋、−）を介してセルに流入したりセルから流出する電流量を計測し、計測された電流量を通信端子を介して制御部４００に伝達する。ディスプレイ部２１４は、制御部４００の制御信号によって充電状態に関する情報を表示する。通信端子は、フレーム２１０の制御部（図示せず）に計測値を伝達し、制御部４００がフレーム２１０に搭載されているバッテリの充電および放電状態をディスプレイ部２１４に表示するようにする。このような充電過程は、図１６に示したように、カバー２２０を閉める前に行ってもよく、図１７に示したように、本体カバー２２０を閉めた後に行ってもよい。
【００５６】
一方、搭載の照明ユニット１００の充電中であるか、充電を完了した状態で照明ユニット１００を殺菌する場合は、図８に示したように、使用者はカバー２２０を閉めなければならない。カバー２２０が閉められた後、使用者によりディスプレイ部２１４の一側に配置された殺菌動作ボタンが押されると、アダプタ２１５から直流電源を受けて駆動されるＬＥＤドライバ２２３により紫外線ＬＥＤ（２２４−１〜２２４−ｎ）が動作し、照明ユニット１００の殺菌を開始する。これによってディスプレイ部２１４では制御部４００の制御により殺菌表示ＬＥＤランプが点灯する。なお、殺菌時間は使用者が入力ボタンを押して設定することができ、設定の殺菌時間が完了すると、紫外線ＬＥＤ（２２４−１〜２２４−ｎ）を自動に消灯し、ディスプレイ部の殺菌表示ＬＥＤランプも消える。さらに、紫外線ＬＥＤ（２２４−１〜２２４−ｎ）が動作中であっても、カバー２２０の開放または殺菌中止ボタンが押されると、制御部４００はＬＥＤドライバ２２３の駆動を止めて殺菌動作を中止し、ディスプレイ部２１４にも信号を供給して殺菌表示ＬＥＤランプが消灯するようにする。
【００５７】
紫外線ＬＥＤ（２２４−１〜２２４−ｎ）の殺菌機能は、照明ユニット１００のバッテリの充電状態と無関係に動作し、照明ユニット１００のバッテリ充電ユニット機能も同様に殺菌機能と無関係に動作する。また、カバー２２０が完全に閉まっていない場合は、殺菌機能の入力ボタンを押しても感知センサー２１８の感知信号を受信した制御部４００の制御によりＬＥＤドライバ２２３は駆動せず、これを使用者に知らせるために制御部４００は、殺菌表示ＬＥＤランプが点滅動作するように制御する。
【００５８】
正常に充電および殺菌が終了すると、制御部４００はこれを感知して充電回路およびＬＥＤドライバに制御信号を印加してそれらをオフ状態にし、ディスプレイ部にも制御信号を送信して充電完了ＬＥＤランプおよび殺菌完了ＬＥＤランプが点灯するようにする。使用者がカバーを開けて照明ユニットと取り出すした場合、制御部はこれを感知してディスプレイ部に信号を送信し、前記２つのランプをいずれもオフする。
【００５９】
図１８および図１９は、本発明の第６実施例による口腔照明装置の充電ユニットおよび殺菌ユニットを示した構成図である。
【００６０】
図示するように、本発明の第６実施例の殺菌ユニット３２４は、複数の紫外線ランプ（３２４−１〜３２４−ｎ）を備え、この紫外線ランプ（３２４−１〜３２４−ｎ）はアダプタ３１５から直流電源を受けて駆動されるランプ駆動部３２３により動作して照明ユニット１００の殺菌を開始する。これ以外の構成は前述の第５実施例と同じであるので詳細な説明は省略する。
【００６１】
前記殺菌ユニット（２２４、３２４）の紫外線ランプ（２２４−１〜２２４−ｎ）または紫外線ランプ（３２４−１〜３２４−ｎ）は、図１４および図１７に示したように、カバー２２０の内側壁面に装着されてもよく、図１９に示したように、フレーム２１０のスロット２１２とスロット２１２の間に配置されてもよい。
【００６２】
以上、本発明の好ましい実施形態について図示して説明してきたが、本発明の技術的思想の範囲内で当業者によって多様な変形および修正が可能である。よって、本発明の範囲は、上で説明した例示的実施例によっては限定されず、特許請求の範囲の各請求項によってのみ定義されるものとする。
【産業上の利用可能性】
【００６３】
本発明による口腔照明装置は、患者の唇に装着されて唇を広げるとともに口腔内部または喉頭内部を陰ができないように照明することができ、口腔内または喉頭内に照明の死角領域が発生することを防止することにより、診療および治療を容易に行うことができる。
【図面の簡単な説明】
【００６４】
【図１】本発明の第１実施例による口腔照明装置を示した概略図。
【図２】本発明の第１実施例による口腔照明装置が患者の唇両側に装着されて口腔内部を照明する様子を示した図。
【図３】本発明の第２実施例による口腔内の照明装置を示した図。
【図４】本発明の第２実施例による口腔内の照明装置を示した図。
【図５】図１に示した口腔内の照明装置が患者の上唇および下唇に装着されて口腔内部を照明する様子を示した図。
【図６】本発明の第３実施例による口腔照明装置を示した図。
【図７】本発明の第４実施例による口腔照明装置を示した図。
【図８】図７に示した口腔照明装置の使用例を示した図。
【図９】本発明の第５実施例による口腔照明装置を示した斜視図。
【図１０】本発明の第５実施例の照明ユニットを示した正面斜視図。
【図１１】本発明の第５実施例の照明ユニットを示した背面斜視図。
【図１２】本発明の第５実施例の本体を示した図。
【図１３】本発明の第５実施例のバッテリを示した構成図。
【図１４】本発明の第５実施例の充電ユニットを示した斜視図。
【図１５】本発明の第５実施例の充電ユニットおよび殺菌ユニットを示した構成図。
【図１６】本発明の第５実施例による口腔照明装置の使用状態図。
【図１７】本発明の第５実施例による口腔照明装置の使用状態図。
【図１８】本発明の第６実施例の充電ユニットおよび殺菌ユニットを示した構成図。
【図１９】本発明の第６実施例による充電ユニットを示した斜視図。
【図１】
2009512174.tif 000003
【図２】
2009512174.tif 000004
【図３】
2009512174.tif 000005
【図４】
2009512174.tif 000006
【図５】
2009512174.tif 000007
【図６】
2009512174.tif 000008
【図７】
2009512174.tif 000009
【図８】
2009512174.tif 000010
【図９】
2009512174.tif 000011
【図１０】
2009512174.tif 000012
【図１１】
2009512174.tif 000013
【図１２】
2009512174.tif 000014
【図１３】
2009512174.tif 000015
【図１４】
2009512174.tif 000016
【図１５】
2009512174.tif 000017
【図１６】
2009512174.tif 000018
【図１７】
2009512174.tif 000019
【図１８】
2009512174.tif 000020
【図１９】
2009512174.tif 000021
【国際調査報告】
2009512174.tif 000022
2009512174.tif 000023